(57)【特許請求の範囲】
【請求項１】
絶縁部材の底部に接続部と一体のねじ部を突出した端子をパネル部材に装着し、前記ねじ部にバー部材と導電板材とをナットで当接状態に止着して、前記バー部材から前記導電板材および前記端子のねじ部に電流を供給する端子の固定構造において、前記絶縁部材の底部より突出して前記ねじ部の基部に金属鍔部を設け、前記バー部材と前記導電板材が前記絶縁部材の底部と前記ナットとの間に挟持されると共に、前記バー部材と前記導電板材との間に、コンタクト部材を前記導電板材に形成された開口部に取り付けた状態で介在させ、前記開口部に挿通された前記金属鍔部の底面及び前記開口部を前記コンタクト部材を介して前記バー部材と電気的に接続したことを特徴とする端子の固定構造。
【発明の詳細な説明】
【０００１】
【発明の属する技術分野】
本発明は、電源装置の出力端子などに適用される端子の固定構造に関する。
【０００２】
【発明が解決しようとする課題】
図３および図４は、従来のこの種の電源装置における出力端子の固定構造を示したものである。同図において、１はシャーシなどの金属製パネル部材、２はこのパネル部材１の開口部３に装着される端子に相当する出力端子であって、出力端子２は、例えば真鍮などの導電性を有するボルト状の端子本体４と、端子本体４の胴部外周を覆うように設けられる絶縁部材たるモールド部材５とにより構成される。モールド部材５は、底部６の上部にこの底部６よりも径大なフランジ部７を形成してなるものであり、モールド部材５の底部６より突出する端子本体４のねじ部８を開口部３に挿入すると、パネル部材１の内面より底部６が突出するとともに、フランジ部７の底面がパネル部材１の外面に当接する。
【０００３】
11は、電源装置の制御回路などを実装する導電板材たるプリント基板、12は出力電流をプリント基板11および出力端子２に供給する電流供給用のバー部材すなわちバスバーであり、これらのプリント基板11およびバスバー12の適所には、端子本体４のねじ部８が挿通可能な開口部13，14が各々設けられている。そして、プリント基板11およびバスバー12の各開口部13，14を、端子本体４のねじ部８に挿通し、金属製の座金15をねじ部８に挿入した後、ねじ部８に止着部材たるナット16を螺入すると、パネル部材１の内側に位置して、モールド部材５の底部６と座金15との間に、プリント基板11およびバスバー12が共に挾持される。このとき、プリント基板11に形成された回路パターンの金属露出部17がバスバー12に当接し、バスバー12からプリント基板11に出力電圧検出用のセンシング電流が流れ込む。また、バスバーからの出力電流は、座金15およびナット16を経由し、端子本体４のねじ部８からパネル部材１の外側に設けられるねじ部８と一体の接続部たるねじ接続部18を通って、図示しない負荷に供給される。
【０００４】
こうした従来の端子の固定構造は、バスバー12からの出力電流が、座金15から金属製のナット16を経由して端子本体４のねじ接続部18に流れ込むが、この間は点接触となっているため接触抵抗が大きく、電圧降下による補正を行なうこともできない。したがって、バスバー12からの電流が増加すると、バスバー12から出ねじ接続部18に至る電圧降下がその分だけ大きくなり、内部損失が増加し、出力端子間電圧とセンシング電圧との不一致により、負荷変動や電源装置自体の効率などを改善できないといった問題を生じる。
【０００５】
そこで本発明は上記問題点に鑑み、バー部材から接続部に至る電流経路の電圧降下を極力低減することのできる端子の固定構造を提供することをその目的とする。
【０００６】
【課題を解決するための手段】
本発明における端子の固定構造は、前記目的を達成するために、絶縁部材の底部にねじ部を突出した端子をパネル部材に装着し、前記ねじ部にバー部材と導電板材をナットで当接状態に止着して、前記バー部材から前記導電板材および前記端子のねじ部に電流を供給する端子の固定構造において、前記絶縁部材より突出して前記ねじ部の基部に金属鍔部を設け、前記バー部材と前記導電板材が前記絶縁部材の底部と前記ナットとの間に挟持さると共に、前記バー部材と前記導電板材との間に、コンタクト部材を前記導電板材に形成された開口部に取り付けた状態で介在させ、前記開口部に挿通された前記金属鍔部の底面及び前記開口部を前記コンタクト部材を介して前記バー部材と電気的に接続して構成される。
【０００７】
上記構成により、バー部材からの出力電流は、コンタクト部材を介してそのまま導電板材に流れ込むとともに、金属鍔部を通過して端子の接続部に流れ込む。つまり、従来は、止着部材を経由して端子のねじ部から接続部に迂回するようにして流れ込んでいたバー部材からの出力電流が、コンタクト部材を介して直接ねじ部の基部にある金属鍔部から接続部に流れ込むことになるため、バー部材からねじ接続部に至る電流経路が短縮し、その間の電圧降下を極力低減することが可能となって、内部損失の低減を図ることができる。
【０００８】
【発明の実施形態】
以下、本発明の一実施例について、添付図面である図１および図２を参照しながら説明する。なお、前記従来技術で示したものと同一箇所には同一符号を付し、その共通する部分の詳細な説明は重複するため省略する。
【０００９】
本実施例では、絶縁部材であるモールド部材５より突出して、ねじ部８の基部に、プリント基板11の開口部13に挿通する金属鍔部21が一体的に設けられる。また、金属鍔部21の底面は、プリント基板11の底面とほぼ同一面をなし、この金属鍔部21の底面に当接する金属製のコンタクト部材22が、プリント基板11の開口部13の外周部に、電気的かつ機械的に半田付けにより、図示しない金属露出部に取付け固定される。このコンタクト部材22は、バスバー12とプリント基板11との間に介在させてあり、金属鍔部21のみならずバスバー12にも当接している。なお、その他の構成は、前記従来技術のものと同一である。
【００１０】
そして、上記構成では、バスバー12からの出力電流は、コンタクト部材22を通過して、プリント基板11の金属露出部17に出力電圧検出用のセンシング電流として流れ込むとともに、コンタクト部材22から金属鍔部21を通過して、端子本体４のねじ接続部18に流れ込む。つまり、従来は座金15からナット16を経由して、端子本体４のねじ部８から外部接続用のねじ接続部18に迂回するバスバー12からの出力電流が、コンタクト部材22を介して直接ねじ部８の基部にある金属鍔部21からねじ接続部18に流れ込むことになるため、バスバー12からねじ接続部18に至る電流経路が短縮し、その間の電圧降下を極力低減することが可能となって、内部損失の低減を図ることができる。また、この出力端子２の固定構造を、出力電圧検出機能を備えた電源装置に適用した場合、プリント基板11は、端子本体４のより近傍でバスバー12からのセンシング電流を受け取ることができるので、負荷変動や電源装置自体の効率などを改善することも可能となる。
【００１１】
以上のように、本実施例によれば、モールド部材５の底部６にねじ接続部18と一体のねじ部８を突出した出力端子２をパネル部材１に装着し、ねじ部８にバスバー12とプリント基板11とをナット16で当接状態に止着して、バスバー12からプリント基板11および出力端子２のねじ部８に電流を供給する端子の固定構造において、モールド部材５の底部６より突出してねじ部８の基部に金属鍔部21を設け、バスバー12とプリント基板11がモールド部材５の底部６とナット16との間に挟持され、プリント基板11に形成された開口部13に挿通された金属鍔部21の底面をバスバー12と電気的に接続してあるので、バスバー12からねじ接続部18に至る電流経路の電圧降下を極力低減して、内部損失の低減を図ることが可能となる。
【００１２】
この場合、実施例ではバスバー12からプリント基板11にセンシング電流を供給するように構成してあるが、プリント基板11にバスバー12と同様の導電バー部材を用いてもよく、要は、バスバー12からの出力電流の一部が、バスバー12との当接により供給される導電板材であればよい。また、絶縁部材であるモールド部材５や、接続部であるねじ接続部18の形状などは、実施例のものに限定されることはない。例えば、ねじ接続部のねじは必ずしも形成しなくてもよく、先端に開口部を有する連結部を形成してもよい。また、プリント基板11とバスバー12とを、ナット16に代わり別の止着部材で止着するようにしてもよい。
【００１３】
さらに本実施例では、導電部材がプリント基板11である場合に、金属鍔部21およびバスバー12に当接する金属製のコンタクト部材22を、プリント基板11に電気的かつ機械的に取り付けてある。したがって、共通のコンタクト部材22により、バスバー12からの出力電流を確実に金属鍔部21ひいてはねじ接続部18およびプリント基板11に供給することができ、バスバー12とプリント基板11間、およびバスバー12と金属鍔部21間の電圧降下の差をさらに縮めることが可能となる。
【００１４】
なお、本発明は上記実施例に限定されるものではなく、本発明の要旨の範囲において種々の変形実施が可能である。実施例では電源装置の出力端子について説明を行なったが、それ以外のものにも本発明の端子の固定構造を適用することができる。
【００１５】
【発明の効果】
本発明の端子の固定構造は、前記目的を達成するために、絶縁部材の底部にねじ部を突出した端子をパネル部材に装着し、前記ねじ部にバー部材と導電板材をナットで当接状態に止着して、前記バー部材から前記導電板材および前記端子のねじ部に電流を供給する端子の固定構造において、前記絶縁部材より突出して前記ねじ部の基部に金属鍔部を設けて構成され、バー部材から接続部に至る電流経路の電圧降下を極力低減して、内部損失の低減を図ることが可能となる。
【図面の簡単な説明】
【図１】  本発明の一実施例を示す断面図である。
【図２】  同上出力端子の正面図である。
【図３】  従来例を示す断面図である。
【図４】  従来例を示す出力端子の正面図である。
【符号の説明】
１  パネル部材
２  出力端子（端子）
５  モールド部材（絶縁部材）
８  ねじ部
11  プリント基板（導電板材）
12  バスバー（バー部材）
13  開口部
16  ナット（止着部材）
18  ねじ接続部（接続部）
21  金属鍔部
22  コンタクト部材
【図１】
0003834800.tif 000002
【図２】
0003834800.tif 000003
【図３】
0003834800.tif 000004
【図４】
0003834800.tif 000005